(57)【要約】【課題】不正行為に回路基板が収納された基板ケースを開くと、確実に不正の痕跡が残され、不正行為の発見及び防止効果を奏する遊技機を提供すること。【解決手段】基板ケース１を、回路基板７０を覆う蓋部材１ａと底部材１ｂとで構成し、蓋部材１ａと底部材１ｂとを組付けで基板ケース１を閉じ、蓋部材１ａの端部から突出する支持部２０を介して設けられたカシメ部２と、底部材１ｂの端部から突出する支持部３０ａ，３０ｂを介して設けられたカシメ部３とを、カシメピンＰを圧入せしめてカシメ固定せしめ、少なくとも、蓋部材１ａの端部とカシメ部２とを、基端４１が蓋部材１ａの端部に固定され、先端４２がカシメ部２に固定され、カシメ部２の支持部２０及びカシメ部３の支持部３０ａ、３０ｂが全て破断された場合にのみ破断することが可能な連結部材４で連結した。【選択図】        図７
2015150322.tif 000002
【特許請求の範囲】
【請求項１】
遊技を制御する電子部品が実装された回路基板を、合成樹脂製の基板ケースに収納せしめた遊技機であって、
前記基板ケースは、第１のケース部材と、第２のケース部材とからなり、
前記第１及び第２のケース部材を対向方向に組付け、該組付けの方向と直交するように両ケース部材を相対方向にスライド嵌合せしめて両ケース部材を閉じるとともに、
前記第１のケース部材のスライド嵌合方向の端部から該方向へ突出する支持部を介して設けられた第１のカシメ部と、該第１のカシメ部に対応して前記第２のケース部材の端部から突出する支持部を介して設けられた第２のカシメ部とを互いに係合せしめて、
両カシメ部にカシメピンを圧入せしめて、前記両ケース部材を閉鎖状態にカシメ固定せしめるとともに、
前記第１のケース部材の端部と前記第１のカシメ部とを、又は／及び前記第２のケース部材の端部と前記第２のカシメ部とを、連結部材で連結せしめ、
前記連結部材は、基端が第１又は／及び第２のケース部材の端部に固定され、先端が第１又は／及び第２のカシメ部に固定され、かつ、前記第１のケース部材と前記第１のカシメ部との間の前記支持部及び前記第２のケース部材と前記第２のカシメ部との間の前記支持部とがそれぞれ破断された場合にのみ破断可能に構成したことを特徴とする遊技機。
【請求項２】
請求項１に記載の遊技機において、
前記第１のケース部材には、前記スライド嵌合方向の端部に側壁部が設けられ、
前記第１及び第２の両ケース部材をスライド嵌合せしめて閉じたときに、前記第１のケース部材の側壁部をこれと対向する第２のケース部材の側壁部と衝合せしめるようになし、
前記第１のケース部材の側壁部には、前記支持部を介して前記第１のカシメ部が設けられるとともに、前記側壁部と前記第１のカシメ部とを前記連結部材で連結せしめ、
前記第２のケース部材の側壁部には、前記支持部を介して前記第２のカシメ部が設けられ、かつ前記第２のカシメ部を前記スライド嵌合方向に沿って前記第２のケース部材の側壁部と対向するように設けたことを特徴とする遊技機。
【請求項３】
請求項２に記載の遊技機において、
前記連結部材は金属部材で構成し、
前記連結部材の基端を前記第１のケース部材の側壁部に固着せしめるとともに、
前記連結部材の先端を、前記第１のカシメ部に係合し、前記第１のカシメ部に前記カシメピンを圧入することでカシメ固定するようになし、
かつ連結部材の中間部には、前記第１のケース部材と前記第１のカシメ部との間の支持部及び前記第２のケース部材と前記第２のカシメ部との間の支持部とがそれぞれ破断された場合にのみ破断することが可能な破断可能部を設けたことを特徴とする遊技機。
【請求項４】
請求項３に記載の遊技機において、
前記第１のケース部材の側壁部又は前記第２のケース部材の側壁部には、前記連結部材の中間部の側縁に沿うように張出し、前記中間部の露出を防ぐ張出部を設けたことを特徴とする遊技機。
【発明の詳細な説明】
【技術分野】
【０００１】
本発明は、遊技を制御する回路基板への不正行為を防止するように構成された遊技機に関する。
【背景技術】
【０００２】
パチンコ機などの遊技機には、遊技動作を制御する制御装置としてマイコンを構成するＭＰＵ、ＲＯＭ、ＲＡＭ等の電子部品が多数実装された回路基板が設けられている。これら回路基板は基板ケースに収納される。一般に、基板ケースは回路基板の表面側を覆う蓋部材と、裏面側を覆う底部材とを組付けて回路基板を収納する。
【０００３】
ところで遊技機では、前記回路基板のＲＯＭなどの電子部品を交換することにより、賞球を出しやすくするなど正規の遊技性能とは異なる遊技を実行させる不正行為が行われるおそれがある。
そこで従来の遊技機では、基板ケースが開封されないように又は開封されたことが容易に発見できるように回路基板を収納した基板ケースの蓋部材と底部材とをカシメピン等を用いてカシメ固定することが行なわれている(例えば特許文献１参照)。これによれば基板ケースを開くにはカシメ固定部を破壊しなければならず、回路基板やＲＯＭを不正に交換した後に基板ケースを戻してもケース自体にカシメ固定部が破壊された痕跡が残るので、これが証拠となって不正行為を発見することができる。
【先行技術文献】
【特許文献】
【０００４】
【特許文献１】特開２０１１−２３９８９７号
【発明の概要】
【発明が解決しようとする課題】
【０００５】
しかしながら従来構造では、不正行為の発見に十分とは言えない。例えば不正に回路基板やＲＯＭを交換する際に、２つの基板ケースを用い、一方の基板ケースではその蓋部材を破壊することによりケースを開く一方、他方の基板ケースではその底部材を破壊することによりケースを開き、一方の無傷の底部材と他方の無傷の蓋部材とを組合せて破壊された証拠の残らない基板ケースを作るといった、所謂「二個一」等の不正行為を発見することが困難である。
【０００６】
そこで本発明は前記事情に鑑み、制御回路基板やＲＯＭの交換といった不正行為の発見及び不正行為の防止効果を十分に発揮することができる遊技機を提供することを課題としてなされたものである。
【課題を解決するための手段】
【０００７】
請求項１に記載の発明は、
遊技を制御する電子部品が実装された回路基板を、合成樹脂製の基板ケースに収納せしめた遊技機であって、
前記基板ケースは、第１のケース部材と、第２のケース部材とからなり、
前記第１及び第２のケース部材を対向方向に組付け、該組付けの方向と直交するように両ケース部材を相対方向にスライド嵌合せしめて両ケース部材を閉じるとともに、
前記第１のケース部材のスライド嵌合方向の端部から該方向へ突出する支持部を介して設けられた第１のカシメ部と、該第１のカシメ部に対応して前記第２のケース部材の端部から突出する支持部を介して設けられた第２のカシメ部とを互いに係合せしめて、
両カシメ部にカシメピンを圧入せしめて、前記両ケース部材を閉鎖状態にカシメ固定せしめるとともに、
前記第１のケース部材の端部と前記第１のカシメ部とを、又は／及び前記第２のケース部材の端部と前記第２のカシメ部とを、連結部材で連結せしめ、
前記連結部材は、基端が第１又は／及び第２のケース部材の端部に固定され、先端が第１又は／及び第２のカシメ部に固定され、かつ、前記第１のケース部材と前記第１のカシメ部との間の前記支持部及び前記第２のケース部材と前記第２のカシメ部との間の前記支持部とがそれぞれ破断された場合にのみ破断可能に構成した。
尚、連結部材として、前記第１のケース部材の端部と前記第１のカシメ部とを連結する連結部材のみ設ける構成、前記第２のケース部材の端部と前記第２のカシメ部とを連結する連結部材のみ設ける構成、両連結部材をともに設ける構成のいずれでもよい。
【０００８】
請求項１に記載の発明によれば、基板ケースを開封するには、カシメ固定された第１のカシメ部と第２のカシメ部を基板ケースから切り離さなければならない。この場合、第１のケース部材と第１のカシメ部との間の支持部、第２のケース部材と第２のカシメ部との間の支持部及び連結部材を破断しなければならず、ケースの開封に手間がかかる。そして連結部材を破断するためには第１のケース部材及び第２のケース部材の両支持部を破断しなければならないので、無傷の第１のケース部材又は無傷の第２のケース部材を残すことができない。従って、開封の痕跡を残すことなく不正に回路基板又はＲＯＭを交換する不正行為（二個一）を確実に発見し防ぐことができる。
【０００９】
請求項２に記載の発明は、
請求項1に記載の遊技機において、
前記第１のケース部材には、前記スライド嵌合方向の端部に側壁部が設けられ、
前記第１及び第２の両ケース部材をスライド嵌合せしめて閉じたときに、前記第１のケース部材の側壁部をこれと対向する第２のケース部材の側壁部と衝合せしめるようになし、
前記第１のケース部材の側壁部には、前記支持部を介して前記第１のカシメ部が設けられるとともに、前記側壁部と前記第１のカシメ部とを前記連結部材で連結せしめ、
前記第２のケース部材の側壁部には、前記支持部を介して前記第２のカシメ部が設けられ、かつ前記第２のカシメ部を前記スライド嵌合の嵌合解除方向に沿って前記第２のケース部材の側壁部と対向するように設けた。
【００１０】
請求項２に記載の発明によれば、第１のケース部材の支持部を破断しても、第１のカシメ部と第１のケース部材とは連結部材で連結されているので、第１のケース部材から第１のカシメ部を切り離すことができない。ここで連結部材を破断するためには第２のケース部材の支持部を破断しなければならず、第１及び第２のケース部材をともに無傷で開封することができない。
一方、第２のケース部材の支持部を破断することにより第２のケース部材と第２のカシメ部とを切り離すことができるが、スライド嵌合を解除しようとしても、第２のカシメ部が第２のケース部材の側壁に突き当たって嵌合解除を阻止する。従って開封には第１ケース部材の支持部と連結部とも破断しなければならず、第１及び第２のケース部材をともに無傷で開封することができない。
【００１１】
請求項３に記載の発明は、
請求項２に記載の遊技機において、
前記連結部材は金属部材で構成し、
前記連結部材の基端を前記第１のケース部材の側壁部に固着せしめるとともに、
前記連結部材の先端を、前記第１のカシメ部に係合し、前記第１のカシメ部に前記カシメピンを圧入することでカシメ固定するようになし、
かつ連結部材の中間部には、前記第１のケース部材と前記第１のカシメ部との間の支持部及び前記第２のケース部材と前記第２のカシメ部との間の支持部とがそれぞれ破断された場合にのみ破断することが可能な破断可能部を設けた。
【００１２】
請求項３に記載の発明によれば、連結部材を金属部材で構成し、その基端を第１のケース部材の側壁部に固着せしめるとともに、先端を第１のカシメ部にカシメピンによりカシメ固定するようにしたので、第１のケース部材と第１のカシメ部とを好適に連結することができる。
また遊技機は公的機関の検査を受ける場合があり、このとき基板ケースを開封することとなるが、金属部材からなる連結部材はその中間部の破断可能部から容易に破断することができる。
【００１３】
請求項４に記載の発明は、
請求項３に記載の遊技機において、
前記第１のケース部材の側壁部又は第２のケース部材の側壁部には、前記連結部材の中間部の側縁に沿うように張出し、前記中間部の露出を防ぐ張出部を設けた。
【００１４】
請求項４に記載の発明によれば、張出部により第１のケース部材の側壁部と第１のカシメ部の隙間から工具等が差し込まれることを防ぎ、工具等で連結部材の中間部が破断されるのを防ぐ。
【図面の簡単な説明】
【００１５】
【図１】本発明を適用した実施形態の遊技機の正面図である。
【図２】前記遊技機の背面における電機装置類の配置状態を示す図である。
【図３】前記遊技機の第１のケース部材及び第２のケース部材からなる基板ケースにより回路基板を被覆する構造を示す分解斜視図である。
【図４】前記回路基板を被覆して前記第１及び第２のケース部材を閉じた状態の基板ケースの正面図である。
【図５】前記第１及び第２のケース部材をカシメ固定する第１のケース部材の第１のカシメ部を示すもので、図５（ａ）は第１のカシメ部を斜め上方より見た拡大斜視図、図５（ｂ）は第１のカシメ部を斜め下方より見た拡大斜視図である。
【図６】第１のケース部材の第１のカシメ部と第２のケース部材の第２のカシメ部とをカシメ固定した状態を斜め上方より見た拡大斜視図である。
【図７】図６のVII−VII線に沿う断面を示すもので、図７（ａ）は第１及び第２のカシメ部をカシメ固定する過程を示す断面図、図７（ｂ）は第１及び第２のカシメ部をカシメ固定した状態の断面図である。
【図８】前記第１及び第２のケース部材の他の部位におけるカシメ固定の構造の断面を示すもので、図８（ａ）はカシメ固定する過程の断面図、図８（ｂ）はカシメ固定した状態の断面図である。
【発明を実施するための形態】
【００１６】
代表的な遊技機であるパチンコ機に本発明適用した実施形態を説明する。図１に示すように、パチンコ機５０は、縦長の固定外郭保持枠をなす外枠５１に、ヒンジ５３を介して、前枠５２及び図略の内枠が開閉可能に設けられている。前枠５２には板ガラス６１が嵌められ、板ガラス６１の奥には前記内枠に保持された遊技盤６０が配置されている。図は省略するが遊技盤６０には、遊技の進行に応じて図柄を変動表示せしめる演出図柄表示装置、遊技球を入球させる複数の入球口や入賞口が設けられている。
【００１７】
前枠５２の下半部には上下に上皿５５と下皿６３とが設けられている。下皿６３の右側には発射ハンドル６４が設けられ、該発射ハンドル６４を操作することにより上皿５５から供給された遊技球が遊技盤６０に向けて発射される。発射された遊技球が入賞すると、上皿５５に賞球が払い出される。また下皿６３は上皿５５から溢れた賞球を受ける。
本パチンコ機５０はいわゆるＣＲ機であって、プリペイドカードの読み書きを行うプリペイドカードユニット(ＣＲユニット)５６が付設されている。
【００１８】
図２に示すように、パチンコ機５０の背面側には、前記遊技盤及び内枠の背面に、遊技の動作を制御する主制御基板７０、前記演出図柄表示装置を制御する演出図柄制御基板７１、音声やランプを制御する音声ランプ制御基板７２、賞球の払出や遊技球の発射を制御する賞球発射制御基板７３、電源装置７４などが設置されている。これらの制御基板類は透明又は半透明の合成樹脂ケースに収納され、前記背面に取付けられている。
【００１９】
前記主制御基板７０はマイコンを構成するＭＰＵ、ＲＯＭ、ＲＡＭ等の電子部品が多数実装された回路基板からなり、主制御基板７０はパチンコ機をマイコンによりプログラム制御する。主制御基板７０はＲＯＭの変更によるプログラムが変更されるといった不正行為を防止するため基板ケース収納され、かつＩＣタグ等を貼着して管理することが行われている。以下、図３ないし図８に基づいて、主制御基板７０を収納する基板ケース１、及び基板ケースへ収納された主制御基板７０への不正行為の防止する構造を説明する。
【００２０】
図３及び図４に示すように、主制御基板７０は左右方向の横幅が長い長方形状をなす。
基板ケース１は、主制御基板７０をその表面側より被覆する浅い角形容器状の蓋部材１ａ(第１のケース部材)と、主制御基板７０の裏面側より蓋部材１ａを受けて蓋部材１ａの開口を塞ぐ底部材１ｂ(第２のケース部材)とからなる。
【００２１】
先に底部材１ｂの構成を説明する。底部材１ｂは合成樹脂の一体成形品からなり、長方形の略平板状の底面をなす底壁部１０を有する。底部材１ｂには、底壁部１０の長辺からなる上端縁及び下端縁(ここでは図３の上、左、右を示す矢印方向に応じて上端縁、下端縁と言う)にそれぞれ、底壁部１０の表面側に突出し、かつ横方向(図３の左方向)に向けてほぼ直角に屈曲する略Ｌ字状の係止爪１０１が所定の間隔をおいて複数設けられている。
【００２２】
底部材１ｂには、前記係止爪１０１の屈曲方向の左側の側壁１１ (図面の左側)が形成され、左側の側壁１１には、前記屈曲方向に沿う左横方向へ突出する舌片状の突出片９が間隔をおいて一対設けられている。
【００２３】
底部材１ｂの右側の側壁１２には、上端位置及び下端位置にそれぞれ、底部材１ｂと蓋部材１ａとを閉鎖固定する際に用いるカシメ固定用のカシメ部３(第２のカシメ部)が間隔をおいて一対形成されている。
また右側の側壁１２には両カシメ部３、３の間に、右側の側壁１２から右横方向へ突出する突出部１３が形成されている。突出部１３は縦長の半割の箱型状をなし、蓋部材１ａと底部材１ｂとを組付けて基板ケース１を閉じたときに、突出部１３と対向する蓋部材１ａの半割の箱型状をなす突出部１９とで箱体部を構成する。
【００２４】
蓋部材１ａは底部材１ｂと同様に合成樹脂の一体成形品からなる。蓋部材１ａは主制御基板７０の表面を覆う長方形状の表壁部１５と、外周に表壁部１５の上端縁及び下端縁からそれぞれほぼ直角に屈曲して縦壁状をなす上壁１６と下壁、表壁部１５の左右の側縁からほぼ直角に屈曲する縦壁状の左側の側壁１７及び右側の側壁１８とを備える。
【００２５】
蓋部材１ａには、表壁部１５の４隅付近に設けられたねじ穴からなる複数の締結部１５１に主制御基板７０の４隅がねじ締め固定されて蓋部材１ａ側に主制御基板７０が取付けられる。
尚、主制御基板７０には表面上端に複数のコネクタ類７０１が設けられ、これらに対応して表壁部１５の上端部には複数のコネクタ挿通穴１５５が設けられている。図３の１５６は主制御基板７０のコネクタ類７０１類のうちの小型コネクタに応じてこれらを挿通せしめるように設定された補助板で、補助板１５６により表壁部１５に形成された大型のコネクタ挿通穴と前記小型コネクタとの隙間を覆い隠す。
【００２６】
蓋部材１ａの前記上壁１６及び下壁には、これらの内面側に、前記底部材１ｂの各係止爪１０１に対応してこれらを係合可能な係合部１５２が複数設けられている。係合部１５２は前記係止爪１０１のＬ字状の屈曲先端を横方向に嵌合係止可能とするものである。
【００２７】
蓋部材１ａの左側の側壁１７には、前記底部材１ｂの左側の側壁１１の各突出片９に対応してこれらを嵌入可能の角形筒状の嵌合部８が一対設けられている。
蓋部材１ａの右側の側壁１８には、上端位置及び下端位置にそれぞれ、前記底部材１ｂの右側端のカシメ固定用のカシメ部３に対応するカシメ部２(第１のカシメ部)が一対形成されている。そして間隔をおいた両カシメ部２，２の間には、底部材１ｂ側と同様に、右側の側壁１８から右横方向に突出する突出部１９が形成されている。
【００２８】
蓋部材１ａと底部材１ｂとを組付けるには、先ず、蓋部材１ａを左側に、底部材１ｂを右側にずらした状態で表裏方向に対向せしめ、蓋部材１ａの上壁１６及び下壁と、底部材１ｂの上下の端縁とを前記対向方向（図３の矢印Ｔ方向）に衝合させる。このとき、底部材１ｂの上下の端縁の各係止爪１０１が蓋部材１ａの上壁１６及び下壁の各係合部１５２間に位置するようになし、かつ底部材１ｂの前記各突出片９が蓋部材１ａの各嵌合部８と対向するように蓋部材１ａと底部材１ｂとを組み合わせる。
【００２９】
次に、蓋部材１ａと底部材１ｂとを、底壁部１０及び表壁部１５の壁面に沿う左右横方向(嵌合方向、図３の矢印Ｓ方向)に互い相対移動せしめ、底部材１ｂの各係止爪１０１を蓋部材１ａの各係合部１５２に嵌合係止せしめ、底部材１ｂの各突出片９を蓋部材１ａの各嵌合部８に嵌入せしめ、蓋部材１ａと底部材１ｂの左側壁１１，１７どうし、及び右側壁１２，１８どうしを衝合せしめるとともに、蓋部材１ａの各カシメ固定用のカシメ部２と底部材１ｂの各カシメ部３とを同軸に係合せしめる。
【００３０】
そして、蓋部材１ａのカシメ部２と底部材１ｂのカシメ部３とを、これらに圧入せしめた後述のカシメピンによりカシメ固定することにより、蓋部材１ａと底部材１ｂとが組付け固定される。
【００３１】
更に蓋部材１ａと底部材１ｂとは、蓋部材１ａ及び底部材１ｂの右側端の両突出部１３，１９からなる箱体部が複数のねじ部材Ｎにより表裏方向に締結される。そして、両突出部１３，１９の外面には不正防止用のＩＣタグＬが貼着され、更に両突出部１３，１９にはＩＣタグＬを被覆するように蓋状のカバー部材Ｌ１が覆嵌される。
【００３２】
図５乃至図７に基づいて本発明を適用した蓋部材１ａのカシメ部２と底部材１ｂのカシメ部３とカシメ構造の詳細を説明する。蓋部材１ａの両カシメ部２，２はほぼ同一の構成で、一方を中心に説明する。図５、図７に示すように、カシメ部２は、蓋部材１ａの側壁１８から前記嵌合方向(矢印Ｓ方向)へ向けて突出する支持部２０により側壁１８から離間した状態で設けられている。支持部２０は側壁１８の上縁(ここでは図５の上、左、右を示す矢印方向に応じて上縁と言う)から突出する細いアーム状をなし、カシメ部２の上端の左右の両側縁を支持するように左右一対設けられている。
【００３３】
カシメ部２は、上方へ向けて開口する角形容器体状の上半部２１と、その底面から下方へ突出する楕円筒状の下半部２３とで構成されている。またカシメ部２には、上半部２１の開口部２２から下半部２３を上下に貫通するようにカシメピンＰを圧入するカシメ穴２４が形成されている。
【００３４】
カシメ部２はその高さ寸法が蓋部材１ａの前記側壁１８の高さ寸法の約２分の１乃至５分の３の寸法に形成されており、カシメ部２の下半部２３と側壁１８の上下中間部とは前記支持部２０と平行に設けられた連結部材４で連結してある。
【００３５】
連結部材４は薄い金属板（板厚約０．５ｍｍ）で構成され、基端４１は断面ほぼＬ字状に屈曲されており、基端４１の屈曲垂直部が側壁１８の上下中間部にインサート成形等により側壁１８の中間部と強固に固着されている。尚、基端４１がインサート成形された側壁１８の中間部は厚肉とされている。
一方、先端４２は、カシメ部２の上半部２１の底面を受ける角形平板状で、中央にカシメ部２の下半部２３を挿通する楕円径の挿通穴４２１を備える。そしてカシメ部２の下方より先端４２の挿通穴４２１にカシメ部２の下半部２３を嵌入せしめて先端４２がカシメ部２に連結してある。先端４２は、カシメ部２の下半部２３へカシメピンＰが圧入されて下半部２３の外径が拡径することにより下半部２３にカシメ固定される。これに限らず、先端４２をカシメ部２にインサート成形等により固着するようにしてもよい。
【００３６】
連結部材４は、基端４１と先端４２との間の中間部４３が、その左右側縁をほぼＵ字状に切欠いて幅細に形成してある。中間部４３を幅細に形成することにより、必要に応じてカシメ部２を蓋部材１ａから切り離す際に、中間部４３が容易に切り離すことができる破断可能部となる。
【００３７】
図６、図７に示すように、底部材１ｂのカシメ部３は、蓋部材１ａのカシメ部２を嵌入してこれを囲む上半部３１と、カシメ部２の下半部２３の下方よりこれと上下方向に重合する下半部３３とで構成されている。
そして底部材１ｂのカシメ部３は、上半部３１の上端が側壁１２の上縁から突出する左右一対の支持部３０ａにより支持され、下半部３２の下端が側壁１２の下縁から突出する左右一対の支持部３０ｂにより支持され、側壁１２から間隔をおいた位置に設けられている。各支持部３０ａ，３０ｂはそれぞれ細いアーム状をなす。
【００３８】
底部材１ｂのカシメ部３の上半部３１は、上方及び側壁１２側へ向けて開口する横断面ほぼコ字形で、蓋部材１ａのカシメ部２よりもひとまわり大きい寸法で、蓋部材１ａのカシメ部２を前記嵌合方向(矢印Ｓ方向)に嵌入可能とされている。カシメ部３の上半部３１は、その上端の左右の両側縁がそれぞれ左右一対の前記支持部３０ａにより底部材１ｂの側壁１２の上端と連結支持されている。
尚、底部材１ｂの側壁１２には、カシメ部３の開口に対向する位置で左右の支持部３０ａ間に、蓋部材１ａのカシメ部２を底部材１ｂのカシメ部３に嵌入する際に蓋部材１ａのカシメ部２に対応する切欠きが形成されおり、該切欠きを通して蓋部材１ａのカシメ部２を底部材１ｂのカシメ部３に嵌入可能とされている。
【００３９】
底部材１ｂのカシメ部３の下半部３３は、蓋部材１ａのカシメ部２を嵌入した状態でカシメ部２の下半部２３をこれと同軸の位置で下方から受ける楕円筒状に形成されている。底部材１ｂのカシメ部３の下半部３３には蓋部材１ａのカシメ部２のカシメ穴２４と同軸に連通するカシメ穴３４が形成されており、カシメ穴３４の下端は閉じられている。
カシメ部３の下半部３３は、底部材１ｂの側壁１２の前記切欠き下方の側壁１２下半部と支持部３０ｂ分の間隔をおいて対向せしめてある。
【００４０】
また底部材１ｂの側壁１２には前記切欠きの側縁からカシメ部３側へ突出し、底部材１ｂのカシメ部３に蓋部材１ａのカシメ部２を嵌入した時に連結部材４の外側位置で連結部材４の中間部４３の側縁に沿うように張出し、底部材１ｂの側壁１２とカシメ部３との隙間からニッパー等の工具が差し込まれることを防止する張出部３５が形成されている。
【００４１】
蓋部材１ａのカシメ部２と底部材１ｂのカシメ部３とは、カシメ部３にカシメ部２を嵌入した状態で、カシメ部２の上半部２１の開口２２よりカシメ部２の下半部２３のカシメ穴２４及びカシメ部３の下半部３３のカシメ穴３４に一連にカシメピンＰを圧入せしめてカシメ固定される。
カシメピンＰは、金属板を円筒形に成形して拡径可能のピン本体Ｐ２に、合成樹脂製の芯材Ｐ１を圧入することでピン本体Ｐ２を拡径せしめる構成で、カシメ部２の下半部２３のカシメ穴２４及びカシメ部３の下半部３３のカシメ穴３４に一連にカシメピンＰのピン本体Ｐ２を挿入した状態で、ピン本体Ｐ２にその上方から芯材Ｐ１を圧入してピン本体Ｐ２を拡径することでカシメ部２の下半部２３とカシメ部３の下半部３３とを強硬に固定せしめる。
【００４２】
本実施形態によれば、基板ケース１を開封するには、カシメ固定された蓋部材１ａのカシメ部２と底部材１ｂのカシメ部３とを基板ケース１から切り離さなければならない。この場合、蓋部材１ａの側壁１８とカシメ部２との間の支持部２０、底部材１ｂの側壁１２とカシメ部３との間の支持部３０ａ、３０ｂ及び連結部材４を破断しなければならず、ケースの開封に手間がかかる。
連結部材４を破断するためには蓋部材１ａ及び底部材１ｂの全ての支持部２０、３０ａ、３０ｂを破断しなければならないので、無傷の蓋部材１ａ又は底部材１ｂを残すことができない。従って、開封の痕跡を残すことなく不正に回路基板又はＲＯＭを交換する不正行為（二個一）を確実に発見することができ、不正行為を防ぐことができる。
【００４３】
即ち、蓋部材１ａのカシメ部２を破断しても、該カシメ部２と蓋部材１ａの側壁１８とは連結部材４で連結されているので、蓋部材１ａからカシメ部２を切り離すことができない。また底部材１ｂの側壁１２に形成された張出部３５によりニッパー等の工具により連結部材４を破断することが困難で、連結部材４を破断するためには底部材１ｂのカシメ部３を破断しなければならず、蓋部材１ａ及び底部材１ｂをともに無傷で開封することができない。
一方、底部材１ｂの支持部３０ａ、３０ｂを破断することにより底部材１ｂとカシメ部３とを切り離すことができるが、蓋部材１ａと底部材１ｂとのスライド嵌合を解除しようとしても、底部材１ｂから切り離されてはいるが、底部材１ｂのカシメ部３の下半部３３が底部材１ｂの側壁１２下半部に突き当たって嵌合解除を阻止する。従って開封には蓋部材１ａのカシメ部２を支持する支持部２０と連結部材４とも破断しなければならず、蓋部材１ａ及び底部材１ｂをともに不正行為の証拠となる痕跡を残すこととなる。
【００４４】
連結部材４を金属部材で構成し、その基端４１を蓋部材１ａの側壁１８に固着せしめるとともに、先端４２を蓋部材１ａのカシメ部２の下半部２３と一体にカシメ固定するようにしたので、蓋部材１ｂの側壁１２とカシメ部２とを好適に連結することができる。
また遊技機は公的機関の検査を受ける場合があり、このとき基板ケース１を開封することとなるが、回路基板７及び基板ケース１を元通りに戻すことは無いので、蓋部材１ａとカシメ部２との間の支持部２０及び底部材１ｂとカシメ部３との間の支持部３０ａ，３０ｂを破断した後に、連結部材４を中心にカシメ部２，３を左右に回動させることで、連結部材４をその中間部４２の破断可能部からねじ切るように破断することができる。
【００４５】
本実施形態の基板ケース１は、不正行為をより確実に防ぐために、蓋部材１ａの前記左側の側壁１７の嵌合部８に底部材１ｂの前記左側の側壁１１の突出片９を嵌入した状態で、例えば嵌合部８と突出片９とを一連に貫通するカシメ部材により両者を固定することが望ましい。この場合、前記公的機関の検査に対応して、嵌合部８に固定した突出片９を底部材１ｂの左側の側壁１１から切り離せるように構成する。
【００４６】
図８に示すように、底部材１ｂの突出片９は底部材１ｂと一体成形した長方形の板状に形成されている。突出片９の根元には、その中央に突出片９の左右方向に長径をなす角穴９１が形成され、角穴９１の両脇に細い易破断部９０，９０が形成されている。図の９２はカシメ穴である。
一方、蓋部材１ａの嵌合部８は蓋部材１ａと一体成形され、上面壁（図略）と下面壁８２及び左右の側面壁８３，８３とで突出片９を嵌入可能な角形筒状に形成されている。そして嵌合部８の根元は、左右の側壁面８３の根元を残すとともに上面壁及び下面壁８２の根元の幅寸法が狭く形成され、突出片９の角穴９１に対応して、前記側壁面８３、８３の根元と上面壁及び下面壁８２の狭副部８２１とで左右一対の角穴８４，８４が形成されている。
【００４７】
これによれば、嵌合部８に突出片９を嵌入固定（カシメ固定）した時、突出片９の角穴９１の左右両側と嵌合部８の左右の角穴８４，８４とが連通され、嵌合部８の側面壁８３の根元と突出片９の易破断部９０とがニッパー等の工具で破断し、突出片９を底部材１ｂから切り離すことができる。よって前記公的機関の検査時には前記蓋部材１ａのカシメ部２、底部材１ｂのカシメ部３及び底部材１ｂから突出片９を切り離すことで基板ケース１を開くことができる。一方、不正行為では、嵌合部８の側面壁８３の根元と突出片９の易破断部９０とが破断された痕跡が残るので、容易に不正行為を発見でき、不正行為を防ぐことができる。
また嵌合部８と突出片９とは、カシメ固定に代えて、嵌合部８に突出片９を嵌入したときに、両者を互いに係止固定するクリップを用いてもよい。
【００４８】
尚、本発明は前記実施形態に限定されるものではなく、本発明の要旨を逸脱しない範囲でさまざまに実施できることは勿論である。例えば前記実施形態では、蓋部材１ａとそのカシメ部２とを連結部材４で連結したが、これに加えて底部材１ｂとカシメ部３とを連結部材で連結するようにしてもよい。しかしながら、前記実施形態のように底部材の側壁１２とカシメ部３の下半部３３とを対向するように構成し、底部材１ｂの支持部３０ａ、３０ｂを破断して蓋部材１ａと底部材１ｂとのスライド嵌合を解除しようとしても、カシメ部３の下半部３３が底部材１ｂの側壁１２突き当たることで充分に嵌合解除を阻止することができる。
また本発明は、パチンコ機台内に所定数の遊技球が封入され、封入された遊技球を遊技盤の遊技領域に向けて発射するとともに、発射された遊技球を回収し、回収した遊技球を再度発射することで内部の所定数の遊技球を循環的に使用して遊技を行う封入式パチンコ機に適用してもよい。更にスロットマシンタイプの遊技機に適用してもよい。
【符号の説明】
【００４９】
１  基板ケース
１ａ  蓋部材（第１のケース部材）
１８  蓋部材の側壁（第１のケース部材の側壁部）
１ｂ  底部材（第２のケース部材）
１２  底部材の側壁部（第２のケース部材の側壁部）
２  蓋部材のカシメ部（第１のカシメ部）
２０  支持部
３  底部材のカシメ部（第２のカシメ部）
３０ａ、３０ｂ  支持部
３５  張出部
４  連結部材
４１  基端
４２  先端
４３  中間部（破断可能部）
７０  主制御基板(回路基板)
Ｐ  カシメピン
【図１】
2015150322.tif 000003
【図２】
2015150322.tif 000004
【図３】
2015150322.tif 000005
【図４】
2015150322.tif 000006
【図５】
2015150322.tif 000007
【図６】
2015150322.tif 000008
【図７】
2015150322.tif 000009
【図８】
2015150322.tif 000010